(57)【要約】【課題】紙幣処理装置において、帯封紙幣の不良品化や不正行為の発生を、早期に認識可能にする。【解決手段】帯封紙幣収納部７０に収納された帯封紙幣Ｂは、特定処理によって、その中から、現物確認の対象とする帯封紙幣が対象紙幣束ＢＸとして特定される。特定された対象紙幣束ＢＸは、帯封紙幣払出部４８から払い出される。これにより、帯封紙幣収納部７０に収納された帯封紙幣Ｂについて、出金の前に、損傷、汚れ等の状態不良や、紙幣抜き取り等の不正行為の有無について、確認することができる。【選択図】図４
2018060351.tif 000002
【特許請求の範囲】
【請求項１】
紙幣処理装置であって、
帯封紙幣を集積して収納する帯封紙幣収納部と、
帯封紙幣を払い出す帯封紙幣払出部と、
前記紙幣処理装置の動作を制御する制御部とを備え、
前記制御部は、
前記帯封紙幣収納部に収納された帯封紙幣の中から、現物確認の対象とする帯封紙幣を対象紙幣束として特定する特定処理を行い、
前記特定処理によって特定した前記対象紙幣束を、前記帯封紙幣払出部から払い出す
ことを特徴とする紙幣処理装置。
【請求項２】
請求項１記載の紙幣処理装置において、
前記制御部は、前記特定処理において、所定条件を満たす帯封紙幣を前記対象紙幣束として特定する
ことを特徴とする紙幣処理装置。
【請求項３】
請求項２記載の紙幣処理装置において、
前記所定条件は、前記紙幣処理装置内における滞留期間が所定値に達する、前記紙幣処理装置内における移動回数が所定値に達する、および、紙幣または帯封の状態が悪いと判定される、のうち少なくとも１つを含む
ことを特徴とする紙幣処理装置。
【請求項４】
請求項２または３記載の紙幣処理装置において、
前記所定条件を格納する記憶部を備えた
ことを特徴とする紙幣処理装置。
【請求項５】
請求項２または３記載の紙幣処理装置において、
前記帯封紙幣収納部に収納された帯封紙幣の個別情報を管理する帯封紙幣データベースを格納する記憶部を備え、
前記制御部は、前記特定処理において、前記帯封紙幣データベースを参照して、前記対象紙幣束の特定を行う
ことを特徴とする紙幣処理装置。
【請求項６】
請求項１〜５のうちいずれか１項記載の紙幣処理装置において、
前記制御部は、前記帯封紙幣収納部に収納された帯封紙幣を、在高を確認するために、前記紙幣処理装置内において移動させる確認処理を行うものであり、
前記確認処理を実行中に、前記特定処理を行う
ことを特徴とする紙幣処理装置。
【請求項７】
請求項１〜６のうちいずれか１項記載の紙幣処理装置において、
前記制御部は、
前記特定処理において前記対象紙幣束を特定したとき、前記対象紙幣束を払い出す操作を促すための報知を行い、
操作手段を介した操作を受けて、前記対象紙幣束を払い出す
ことを特徴とする紙幣処理装置。
【請求項８】
請求項１〜７のうちいずれか１項記載の紙幣処理装置において、
前記制御部は、前記特定処理において前記対象紙幣束を特定したとき、前記対象紙幣束を、元の収納位置と比べて払い出しが容易である新たな位置に、移動させる
ことを特徴とする紙幣処理装置。
【請求項９】
請求項１〜７のうちいずれか１項記載の紙幣処理装置において、
バラ紙幣を受け入れて識別するバラ紙幣入金機能を備え、
前記制御部は、
払い出した前記対象紙幣束をバラしてバラ紙幣として入金するよう促すための報知を行い、
入金されたバラ紙幣の金種および枚数を、前記対象紙幣束の金種および紙幣枚数のデータと比較する
ことを特徴とする紙幣処理装置。
【請求項１０】
請求項９記載の紙幣処理装置において、
バラ紙幣を結束して帯封紙幣を作成する紙幣結束機構を備え、
前記制御部は、前記比較の結果、入金されたバラ紙幣の金種および枚数が前記対象紙幣束の金種および紙幣枚数のデータと一致したとき、前記入金されたバラ紙幣を前記紙幣結束機構によって結束し、帯封紙幣として前記帯封紙幣収納部に収納する
ことを特徴とする紙幣処理装置。
【請求項１１】
請求項９記載の紙幣処理装置において、
前記制御部は、前記比較の結果、入金されたバラ紙幣の金種および枚数が前記対象紙幣束の金種および紙幣枚数のデータと一致しないとき、前記対象紙幣束の現物に異常がある旨を報知する
ことを特徴とする紙幣処理装置。
【請求項１２】
帯封紙幣を集積して収納する帯封紙幣収納部と、帯封紙幣を払い出す帯封紙幣払出部とを備えた紙幣処理装置において、紙幣を処理する方法であって、
前記帯封紙幣収納部に収納された帯封紙幣の中から、現物確認の対象とする帯封紙幣を対象紙幣束として特定し、
特定した前記対象紙幣束を、前記帯封紙幣払出部から払い出す
ことを特徴とする紙幣処理方法。
【請求項１３】
帯封紙幣を集積して収納する帯封紙幣収納部を備えた紙幣処理装置において、紙幣を処理する方法であって、
前記帯封紙幣収納部に収納された帯封紙幣を、在高を確認するために、前記紙幣処理装置内において移動させる確認処理を行い、
前記確認処理を実行中に、前記帯封紙幣収納部に収納された帯封紙幣の中から、現物確認の対象とする帯封紙幣を対象紙幣束として特定する
ことを特徴とする紙幣処理方法。
【発明の詳細な説明】
【技術分野】
【０００１】
ここに開示する技術は、帯封紙幣を払い出す紙幣処理装置および紙幣処理方法に関する。
【背景技術】
【０００２】
従来、金融機関等で使用される現金出納機として、所定枚数（例えば１００枚）のバラ紙幣を帯封した帯封紙幣を払い出す紙幣処理装置がある。
【０００３】
特許文献１には、このような紙幣処理装置の構成例が開示されている。この構成では、入金された紙幣束、補充された紙幣束、あるいは、装置内で結束された紙幣束を金種別に集積収納し、出金要求に基づいて、紙幣束を出金する。
【先行技術文献】
【特許文献】
【０００４】
【特許文献１】特開２０１５−０８２１８７号公報
【発明の概要】
【発明が解決しようとする課題】
【０００５】
特許文献１の構成では、束収納部において、紙幣束は上入れ上出しになっている。すなわち、入金された紙幣束は束収納部の最上位に集積され、出金時には束収納部の最上位の紙幣束が払い出される。このため、最下位またはその近傍の紙幣束は、束収納部内に長期間滞留してしまうおそれがある。なお、精査処理において、一部の束収納部では紙幣束の並び替えを行っているが、出金処理と精査処理の実行タイミングによっては、紙幣束の長期滞留が発生する可能性がある。紙幣束が装置内に長期滞留すると、精査処理時の搬送により、最上位や最下位の紙幣が傷んだり結束帯が破れたり緩んだりして、不良品になるおそれがある。また、不正行為によって紙幣束から紙幣が抜き取られたりダミー紙幣と入れ替えられたりした場合には、発見が遅れて原因（犯人）の追及が困難になる。
【０００６】
ここに開示する技術は、かかる点に鑑みてなされたものであり、紙幣処理装置において、帯封紙幣の不良品化や不正行為の発生を、早期に認識可能にすることを目的とする。
【課題を解決するための手段】
【０００７】
ここに開示する技術は、紙幣処理装置であって、帯封紙幣を集積して収納する帯封紙幣収納部と、帯封紙幣を払い出す帯封紙幣払出部と、前記紙幣処理装置の動作を制御する制御部とを備え、前記制御部は、前記帯封紙幣収納部に収納された帯封紙幣の中から、現物確認の対象とする帯封紙幣を対象紙幣束として特定する特定処理を行い、前記特定処理によって特定した前記対象紙幣束を、前記帯封紙幣払出部から払い出す。
【０００８】
この構成によると、帯封紙幣収納部に収納された帯封紙幣は、特定処理によって、その中から、現物確認の対象とする帯封紙幣が対象紙幣束として特定される。そして特定された対象紙幣束は、帯封紙幣払出部から払い出される。これにより、帯封紙幣収納部に収納された帯封紙幣について、出金の前に、損傷、汚れ等の状態不良や、紙幣抜き取り等の不正行為の有無について、確認することができる。例えば、滞留期間が長い帯封紙幣を対象紙幣束として特定し払い出すことによって、帯封紙幣の不良品化や不正行為の発生を早期に認識することができる。
【０００９】
そして、上述の紙幣処理装置において、前記制御部は、前記特定処理において、所定条件を満たす帯封紙幣を前記対象紙幣束として特定するとしてもよい。
【００１０】
これにより、帯封紙幣収納部に収納された帯封紙幣の中で、所定条件を満たす帯封紙幣を、対象紙幣束として払い出すことができる。
【００１１】
さらに、前記所定条件は、前記紙幣処理装置内における滞留期間が所定値に達する、前記紙幣処理装置内における移動回数が所定値に達する、および、紙幣または帯封の状態が悪いと判定される、のうち少なくとも１つを含むとしてもよい。
【００１２】
これにより、紙幣処理装置内における滞留期間が長い帯封紙幣、紙幣処理装置内における移動回数が多い帯封紙幣、および、紙幣または帯封の状態が悪い帯封紙幣のうち少なくとも１つを、対象紙幣束として払い出すことができる。
【００１３】
また、上述の紙幣処理装置は、前記所定条件を格納する記憶部を備えたものとしてもよい。
【００１４】
これにより、記憶部に格納された所定条件を基にして、対象紙幣束を特定することができる。
【００１５】
また、上述の紙幣処理装置は、前記帯封紙幣収納部に収納された帯封紙幣の個別情報を管理する帯封紙幣データベースを格納する記憶部を備え、前記制御部は、前記特定処理において、前記帯封紙幣データベースを参照して、前記対象紙幣束の特定を行う、としてもよい。
【００１６】
これにより、帯封紙幣データベースに管理された、帯封紙幣収納部に収納された帯封紙幣の個別情報を基にして、対象紙幣束を特定することができる。
【００１７】
また、前記制御部は、前記帯封紙幣収納部に収納された帯封紙幣を、在高を確認するために、前記紙幣処理装置内において移動させる確認処理を行うものであり、前記確認処理を実行中に、前記特定処理を行う、としてもよい。
【００１８】
これにより、帯封紙幣収納部に収納された帯封紙幣を紙幣処理装置内において移動させる確認処理を実行中に、対象紙幣束を特定することができる。
【００１９】
また、前記制御部は、前記特定処理において前記対象紙幣束を特定したとき、前記対象紙幣束を払い出す操作を促すための報知を行い、操作手段を介した操作を受けて、前記対象紙幣束を払い出す、としてもよい。
【００２０】
これにより、特定された対象紙幣束は、操作手段を介した操作を受けて、紙幣処理装置から払い出される。
【００２１】
また、前記制御部は、前記特定処理において前記対象紙幣束を特定したとき、前記対象紙幣束を、元の収納位置と比べて払い出しが容易である新たな位置に、移動させる、としてもよい。
【００２２】
これにより、特定された対象紙幣束は、元の収納位置と比べて払い出しが容易である新たな位置に、移動させられるので、その後の払い出しが容易になる。
【００２３】
また、上述の紙幣処理装置は、バラ紙幣を受け入れて識別するバラ紙幣入金機能を備え、前記制御部は、払い出した前記対象紙幣束をバラしてバラ紙幣として入金するよう促すための報知を行い、入金されたバラ紙幣の金種および枚数を、前記対象紙幣束の金種および紙幣枚数のデータと比較する、としてもよい。
【００２４】
これにより、特定された対象紙幣束について、操作者にバラして入金させて、このバラ紙幣の金種および枚数が、対象紙幣束の金種および紙幣枚数のデータと一致するか否かを確認することができる。
【００２５】
さらに、上述の紙幣処理装置は、バラ紙幣を結束して帯封紙幣を作成する紙幣結束機構を備え、前記制御部は、前記比較の結果、入金されたバラ紙幣の金種および枚数が前記対象紙幣束の金種および紙幣枚数のデータと一致したとき、前記入金されたバラ紙幣を前記紙幣結束機構によって結束し、帯封紙幣として前記帯封紙幣収納部に収納する、としてもよい。
【００２６】
これにより、バラ紙幣の金種および枚数が対象紙幣束の金種および紙幣枚数のデータと一致したとき、すなわち、対象紙幣束は正常であると確認できたときは、バラ紙幣は再結束されて新たな帯封紙幣として帯封紙幣収納部に収納される。
【００２７】
さらに、前記制御部は、前記比較の結果、入金されたバラ紙幣の金種および枚数が前記対象紙幣束の金種および紙幣枚数のデータと一致しないとき、前記対象紙幣束の現物に異常がある旨を報知する、としてもよい。
【００２８】
これにより、バラ紙幣の金種および枚数が対象紙幣束の金種および紙幣枚数のデータと一致ないとき、すなわち、対象紙幣束は正常でないと確認できたときは、対象紙幣束の現物に異常がある旨が報知される。
【００２９】
また、ここに開示する技術は、帯封紙幣を集積して収納する帯封紙幣収納部と、帯封紙幣を払い出す帯封紙幣払出部とを備えた紙幣処理装置において、紙幣を処理する方法であって、前記帯封紙幣収納部に収納された帯封紙幣の中から、現物確認の対象とする帯封紙幣を対象紙幣束として特定し、特定した前記対象紙幣束を、前記帯封紙幣払出部から払い出す。
【００３０】
これにより、帯封紙幣収納部に収納された帯封紙幣は、特定処理によって、その中から、現物確認の対象とする帯封紙幣が対象紙幣束として特定される。そして特定された対象紙幣束は、帯封紙幣払出部から払い出される。これにより、帯封紙幣収納部に収納された帯封紙幣について、出金の前に、損傷、汚れ等の状態不良や、紙幣抜き取り等の不正行為の有無について、確認することができる。例えば、滞留期間が長い帯封紙幣を対象紙幣束として特定し払い出すことによって、帯封紙幣の不良品化や不正行為の発生を早期に認識することができる。
【００３１】
また、ここに開示する技術は、帯封紙幣を集積して収納する帯封紙幣収納部を備えた紙幣処理装置において、紙幣を処理する方法であって、前記帯封紙幣収納部に収納された帯封紙幣を、在高を確認するために、前記紙幣処理装置内において移動させる確認処理を行い、前記確認処理を実行中に、前記帯封紙幣収納部に収納された帯封紙幣の中から、現物確認の対象とする帯封紙幣を対象紙幣束として特定する。
【００３２】
これにより、帯封紙幣収納部に収納された帯封紙幣について、紙幣処理装置内において移動させる確認処理を実行中に、その中から、現物確認の対象とする対象紙幣束が特定される。
【発明の効果】
【００３３】
本開示によると、帯封紙幣収納部に収納された帯封紙幣について、出金の前に、損傷、汚れ等の状態不良や紙幣抜き取り等の不正行為の有無について、確認することができる。したがって、帯封紙幣の不良品化や不正行為の発生を早期に認識することができる。
【図面の簡単な説明】
【００３４】
【図１】実施形態に係る貨幣処理装置の全体構成例
【図２】実施形態に係る紙幣処理機の内部構成図
【図３】実施形態に係る貨幣処理装置の機能構成を示すブロック図
【図４】精査処理中に対象紙幣束を特定する処理のイメージ図
【図５】帯封紙幣データベースの例
【図６】精査処理における紙幣処理機の動作を示すフローチャート
【図７】図５の帯封紙幣データベースの精査処理後の状態の例
【図８】精査処理の後処理における紙幣処理機の動作を示すフローチャート
【図９】（ａ）（ｂ）は後処理における表示画面の例
【図１０】（ａ）〜（ｃ）は後処理において対象紙幣束をバラして確認する処理のイメージ図
【図１１】対象紙幣束をバラして計数する処理を別装置で行う場合の構成図
【発明を実施するための形態】
【００３５】
以下、実施形態について、図面に基づいて詳細に説明する。
【００３６】
（貨幣処理装置の構成）
図１は実施形態に係る貨幣処理装置の外観を示す斜視図である。図１の貨幣処理装置１は、本開示における紙幣処理装置の一例である。図１に示すように、貨幣処理装置１は、紙幣処理機１０および硬貨処理機１１０が左右に並ぶよう配置されることにより構成されている。紙幣処理機１０は、バラ紙幣の入出金処理を実行可能であり、また、帯封紙幣（紙幣束ともいう）の作成や、帯封紙幣の出金処理を実行可能である。帯封紙幣は、所定枚数（例えば１００枚）のバラ紙幣から作成される。硬貨処理機１１０は、バラ硬貨の入出金処理を実行可能であり、また、包装硬貨の作成や、包装硬貨の出金処理を実行可能である。包装硬貨は、所定枚数（例えば５０枚）のバラ硬貨に紙やフィルム等の包装媒体を巻くことによって作成される。
【００３７】
操作表示部３０２は、例えば硬貨処理機１１０の筐体１１２の上部に設けられたタッチパネル等からなり、貨幣処理装置１における紙幣や硬貨の処理状況や、貨幣処理装置１に収納されている紙幣や硬貨の在高等の情報を表示する。また、操作者はこの操作表示部３０２を介して、様々な操作を行うことができる。操作表示部３０２は、本開示における操作手段の一例である。印字部３０４は、貨幣処理装置１における紙幣や硬貨の処理状況や、貨幣処理装置１に収納されている紙幣や硬貨の在高等の情報をレシート等に印刷するプリンタ等から構成されている。このような貨幣処理装置１は、例えば銀行等の金融機関に設置され、金融機関の行員等により利用される。
【００３８】
図２は紙幣処理機１０の内部構成を概略的に示す構成図である。図２において、左側が紙幣処理機１０の前面側であり、左右方向が紙幣処理機１０の奥行き方向である。図１および図２を用いて、紙幣処理機１０の構成について説明する。なお、硬貨処理機１１０に関しては、その構成の詳細については説明を省略する。
【００３９】
図１および図２に示すように、紙幣処理機１０は略直方体形状の筐体１２を有しており、この筐体１２の前面には、バラ紙幣を入金するための投入部１４、バラ紙幣を出金するためのバラ紙幣投出部２４、および、帯封紙幣を出金するための帯封紙幣投出部４８がそれぞれ設けられている。投入部１４の前面は筐体１２の外部に開口しており、操作者は投入部１４の内部にバラ紙幣の束を投入することができる。一方、バラ紙幣投出部２４および帯封紙幣投出部４８にはそれぞれシャッター２４ａ，４８ａが設けられている。シャッター２４ａ，４８ａは後述するシャッター駆動部２４ｂ，４８ｂによりそれぞれ駆動される。シャッター２４ａ，４８ａによりバラ紙幣投出部２４や帯封紙幣投出部４８が開口されると、操作者はバラ紙幣投出部２４に集積されているバラ紙幣や帯封紙幣投出部４８に集積されている帯封紙幣を取り出すことができる。なお、バラ紙幣投出部２４は、バラ紙幣の出金処理における出金部として機能するとともに、入金処理時において識別できなかったバラ紙幣や正常ではないと識別されたバラ紙幣を排出するための入金リジェクト部としても機能する。
【００４０】
また、バラ紙幣投出部２４の下方には、バラ紙幣の出金処理において、バラ紙幣投出部２４から出金すべきではないと判断されたバラ紙幣が集積される出金リジェクト部２６が設けられている。出金リジェクト部２６の前面は筐体１２の外部に開口しておらず、操作者は筐体１２から本体部分を手前側に引き出さない限りこの出金リジェクト部２６にアクセスすることができない。
【００４１】
図２に示すように、投入部１４には、投入されたバラ紙幣を１枚ずつ繰り出すための繰出部１６が設けられている。繰出部１６により投入部１４から繰り出されたバラ紙幣は、搬送部１８により筐体１２内で搬送される。搬送部１８には識別部２０が設けられており、搬送部１８により搬送されるバラ紙幣は識別部２０によりその金種、真偽、表裏、正損、新旧、搬送状態等が識別される。また、搬送部１８には表裏反転部２２が設けられており、識別部２０により識別されたバラ紙幣は表裏反転部２２によりその表裏が揃うように反転させられる。
【００４２】
搬送部１８には、入金一時保留部３０、混合バラ紙幣収納部３２および複数（図２では３つ）の金種別バラ紙幣収納部３４がそれぞれ接続されている。入金一時保留部３０、混合バラ紙幣収納部３２および各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、混合バラ紙幣収納部３２には、各金種別バラ紙幣収納部３４に割り当てられていない金種のバラ紙幣や損券、オーバーフロー紙幣等が混合状態で収納される。また、各金種別バラ紙幣収納部３４には、それぞれ予め設定された特定の金種のバラ紙幣が収納される。
【００４３】
入金一時保留部３０の上端部の近傍には紙幣繰出繰入部３０ｂが設けられており、バラ紙幣は紙幣繰出繰入部３０ｂにより、入金一時保留部３０から１枚ずつ搬送部１８に繰り出され、また、搬送部１８から入金一時保留部３０に１枚ずつ繰り入れられる。混合バラ紙幣収納部３２の上端部の近傍には紙幣繰入部３２ｂが設けられており、バラ紙幣は紙幣繰入部３２ｂにより、搬送部１８から混合バラ紙幣収納部３２に１枚ずつ繰り入れられる。なお、本実施形態では、混合バラ紙幣収納部３２に収納されているバラ紙幣は搬送部１８に繰り出せない。各金種別バラ紙幣収納部３４の上端部の近傍にはそれぞれ紙幣繰出繰入部３４ｂが設けられており、バラ紙幣は紙幣繰出繰入部３４ｂにより、各金種別バラ紙幣収納部３４から１枚ずつ搬送部１８に繰り出され、また、搬送部１８から各金種別バラ紙幣収納部３４に１枚ずつ繰り入れられる。バラ紙幣の出金処理が行われる際には、各金種別バラ紙幣収納部３４から繰り出されたバラ紙幣が搬送部１８により識別部２０に送られ、識別部２０により識別された後にバラ紙幣投出部２４に送られる。
【００４４】
筐体１２の下部には下部扉１２ａが設けられており、操作者は、下部扉１２ａを開くことにより入金一時保留部３０の内部にアクセスできる。また、入金一時保留部３０、混合バラ紙幣収納部３２および各金種別バラ紙幣収納部３４は、手前側に（図２における左方向に）引き出し可能となっている引出ユニット１３に収容されている。操作者は、下部扉１２ａを開いて引出ユニット１３を手前側に引き出し、混合バラ紙幣収納部３２や各金種別バラ紙幣収納部３４を引出ユニット１３から取り外したり、引出ユニット１３に装着したりできる。
【００４５】
また、搬送部１８には複数（図２では２つ）の整理一時保留部４０が接続されており、搬送部１８から送られたバラ紙幣は、整理一時保留部４０に積層状態で集積される。整理一時保留部４０には、集積されているバラ紙幣を搬送部１８に１枚ずつ繰り出す繰出部が設けられていてもよい。また、所定枚数（例えば１００枚）のバラ紙幣からなる紙幣束に帯封紙を巻くことにより帯封紙幣を作成する帯封部４２が、整理一時保留部４０の隣に設けられている。帯封部４２の近傍にはアーム機構４４が設けられている。アーム機構４４は、整理一時保留部４０、帯封部４２および帯封紙幣揚送部４６の間で移動可能となっている。帯封紙幣揚送部４６には、図２における上下方向に移動可能となっているステージ４６ａが設けられている。帯封部４２およびアーム機構４４によって、紙幣結束機構が構成されている。
【００４６】
帯封処理が行われる際に、アーム機構４４は、整理一時保留部４０に集積された所定枚数のバラ紙幣を上下一対のアーム部により保持して、帯封部４２に移動する。帯封部４２において、アーム機構４４に保持された所定枚数のバラ紙幣の外周面に帯封紙が巻かれる。帯封処理が行われた後、アーム機構４４は帯封部４２から帯封紙幣揚送部４６に移動して、ステージ４６ａ上に帯封紙幣を受け渡す。このような動作を繰り返すことにより、複数の帯封紙幣を帯封紙幣揚送部４６のステージ４６ａ上に集積させる。
【００４７】
そして、アーム機構４４からステージ４６ａ上に１または複数の帯封紙幣が受け渡された後、ステージ４６ａが上方向に移動して帯封紙幣投出部４８の下端と同じレベルに達する。この状態でシャッター４８ａが開くと、操作者は帯封紙幣投出部４８の内部にアクセスしてステージ４６ａ上に集積されている帯封紙幣を取り出すことができる。また、ステージ４６ａがさらに上昇すると、ステージ４６ａ上に集積されている帯封紙幣を帯封紙幣搬送部６０に受け渡したり、帯封紙幣搬送部６０から帯封紙幣をステージ４６ａ上に集積させたりできる。
【００４８】
筐体１２の内部における上部領域には、複数（図２では４つ）の帯封紙幣収納部７０が設けられている。各帯封紙幣収納部７０の内部にはそれぞれ、上下方向に移動可能であるステージ７０ａが設けられている。帯封部４２により作成された帯封紙幣は、帯封紙幣収納部７０の上端部に設けられた開口からステージ７０ａ上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも１つは、金種が異なる帯封紙幣を混合状態で収納するようにしてもよい。
【００４９】
各帯封紙幣収納部７０の上方には、帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動可能である。帯封紙幣搬送部６０によって搬送される帯封紙幣は、循環ベルト６０ｂの下面に沿って突起６０ａにより引っ掛けられた状態で左右いずれかの方向に移動する。また、帯封紙幣揚送部４６の上端と帯封紙幣収納部７０との間に識別部６２が設けられている。識別部６２は、搬送される帯封紙幣の金種を、例えばその最下面の紙幣の撮像画像から識別する。識別部６２はまた、帯封紙幣の紙幣や結束帯の状態、例えば破れや汚れの有無等を識別する。なお、図２の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上面の紙幣の撮像画像から識別する。
【００５０】
ここで、帯封部４２により作成された帯封紙幣を各帯封紙幣収納部７０に収納させる際には、帯封紙幣は、アーム機構４４から帯封紙幣揚送部４６のステージ４６ａ上に受け渡された後に、ステージ４６ａの上昇によって帯封紙幣搬送部６０の近傍の位置まで達する。循環ベルト６０ｂは反時計回りの方向に循環移動する。これにより、ステージ４６ａ上の帯封紙幣は突起６０ａに引っ掛けられて、循環ベルト６０ｂの下面に沿って右方向に搬送され、識別部６２によりその金種が判別された後、識別部６２による識別結果に基づいて、対応する帯封紙幣収納部７０に収納される。
【００５１】
一方、帯封紙幣収納部７０に収納されている帯封紙幣を出金する際には、循環ベルト６０ｂは時計回りの方向に循環移動する。帯封紙幣収納部７０から上方に押し出された最上位の帯封紙幣が突起６０ａにより引っ掛けられて循環ベルト６０ｂの下面に沿って左方向に搬送される。また、ステージ４６ａが上昇して帯封紙幣搬送部６０の近傍の位置まで達する。そして、搬送される帯封紙幣は、その金種が識別部６２により識別された後、上方位置で待機していたステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定数の帯封紙幣が集積されると、当該ステージ４６ａが帯封紙幣投出部４８の下端と同じレベルまで下降し、シャッター４８ａが開く。これにより、操作者は帯封紙幣投出部４８から帯封紙幣を取り出すことができる。
【００５２】
図３は貨幣処理装置１の機能構成の概略を示すブロック図である。図３に示すように、貨幣処理装置１には、各構成要素の制御を行う制御部３００が設けられている。制御部３００には、紙幣処理機１０の構成要素、具体的には、投入部１４、繰出部１６、搬送部１８、識別部２０、表裏反転部２２、入金一時保留部３０（ステージ３０ａの駆動機構や紙幣繰出繰入部３０ｂ）、混合バラ紙幣収納部３２（ステージ３２ａの駆動機構や紙幣繰入部３２ｂ）、金種別バラ紙幣収納部３４（ステージ３４ａの駆動機構や紙幣繰出繰入部３４ｂ）、帯封部４２、アーム機構４４、帯封紙幣揚送部４６、帯封紙幣搬送部６０、識別部６２、帯封紙幣収納部７０（ステージ７０ａの駆動機構）、シャッター２４ａ，４８ａを開閉させるシャッター駆動部２４ｂ，４８ｂ等がそれぞれ接続されている。そして、制御部３００は、識別部２０によるバラ紙幣の識別結果に係る情報や識別部６２による帯封紙幣の金種の判別結果に係る情報等を受け、また、紙幣処理機１０の各構成要素に指令信号を送ることによりその動作を制御する。
【００５３】
また、制御部３００には、硬貨処理機１１０の各構成要素が接続されており、硬貨処理機１１０の動作を制御する。さらに、制御部３００には、操作表示部３０２、印字部３０４、記憶部３１０および通信インターフェース部３０６がそれぞれ接続されている。記憶部３１０は、貨幣処理装置１における処理履歴や、貨幣処理装置１に収納されている紙幣や硬貨の在高等の情報を記憶する。本開示では、記憶部３１０は、後述する帯封紙幣データベース３１１および特定条件情報３１２を格納している。また、制御部３００は通信インターフェース部３０６を介して上位端末等の外部装置に対して様々な信号の送受信を行うことができる。
【００５４】
（精査処理と対象紙幣束の特定処理）
本開示では、制御部３００は精査処理を行う。精査処理とは、収納済み貨幣を装置内で循環移動させて、貨幣の現物の実在高（金種別枚数や合計金額）を取得し、本来あるべき在高情報と一致することを確認する処理のことである。一致する場合は、貨幣処理装置１は、例えば操作表示部３０２に正常であることを表示し、操作者の承認を受けて待機状態に戻る。一致しない場合は、貨幣処理装置１は、例えば操作表示部３０２に警告メッセージと不一致であるデータを表示する。なお、精査処理は、本開示における確認処理の一例である。
【００５５】
そして制御部３００は、帯封紙幣に対する精査処理において、帯封紙幣収納部７０に収納された帯封紙幣の中から、現物確認の対象とする帯封紙幣を対象紙幣束として特定する特定処理を行い、特定した対象紙幣束を、帯封紙幣収納部７０における元の収納位置と比べて払い出しが容易である新たな位置に、移動させる。そして、その後の後処理において、操作者の操作を受けて、対象紙幣束を帯封紙幣払出部４８から払い出す。
【００５６】
図４は本実施形態における精査処理のイメージ図である。まず、図４の左側に示すように、精査処理の開始前において、４個の帯封紙幣収納部７０（収納部（１）〜（４））にはそれぞれ、４束の帯封紙幣Ｂが収納されているものとする。収納部（２）に関して精査処理を行うとき、図４の中央に示すように、収納部（２）に収納された帯封紙幣Ｂを上から順に、帯封紙幣搬送部６０を介して帯封紙幣揚送部（図４ではリフトと表記している）４６に移動させる。その移動の際に、識別部６２によって、帯封紙幣Ｂの紙幣や結束帯の状態、例えば破れや汚れの有無を識別する。制御部３００は、識別部６２による識別の結果、紙幣または帯封の状態が悪いと判定したとき、その帯封紙幣Ｂを、現物確認の対象とする対象紙幣束ＢＸとして特定する。図４では、収納部（２）の最下位にあった帯封紙幣Ｂを対象紙幣束ＢＸとして特定している。その後、帯封紙幣揚送部４６にある帯封紙幣Ｂを元の収納部（２）に戻すが、現物確認の対象となる対象紙幣束ＢＸについては、貨幣処理装置１からすぐに払い出せる位置に移動させる。例えば図４の右側に示すように、対象紙幣束ＢＸを元の収納部（２）とは別の収納部（４）の最上位に移動させる。これにより、元の収納位置よりも、貨幣処理装置１からの払い出しが容易になる。この他にも例えば、精査処理が全て終わった後に、対象紙幣束ＢＸを元の収納部（２）の最上位に移動させてもよい。また、対象紙幣束ＢＸが複数、特定される場合もある。
【００５７】
また、上の説明では、識別部６２によって紙幣または帯封の状態が悪いと判定した帯封紙幣を、現物確認の対象とする対象紙幣束として特定するものとした。ただし、対象紙幣束を特定する条件としては、この他にも例えば、貨幣処理装置１内における滞留期間や移動回数を用いてもよい。このような条件に基づく特定処理を行うために、本実施形態では、記憶部３１０は、帯封紙幣収納部７０に収納された帯封紙幣の個別情報を管理する帯封紙幣データベース３１１と、対象紙幣束を特定するための条件を示す特定条件情報３１２を格納している。
【００５８】
図５は帯封紙幣データベース３１１に管理された情報の例である。図５の例では、帯封紙幣収納部７０（収納部（１）〜（４））に収納された帯封紙幣について、収納部における位置（最下位〜最上位）、金種、収納日、滞留日数、移動回数、および状態判定が管理されている。「状態判定」とは、識別部６２の識別結果に基づく判定結果である。そして、これらの情報から、「警告要否」として、帯封紙幣は問題なしか（ＯＫ）、あるいは、問題がある可能性が高いので貨幣処理装置１から払い出して確認する必要があるか（ＮＧ）が判断される。警告要否がＮＧと判断された帯封紙幣が、現物確認の対象となる対象紙幣束として特定される。
【００５９】
ここでは、特定条件情報３１２は、次のような条件を示しているものとする。
・滞留日数：７日以上
・移動回数：１０回以上
・状態異常（紙幣、結束帯）
このような条件から、図５に示す帯封紙幣のうち、収納部（１）の最下位に収納された帯封紙幣が警告要否ＮＧとなり、対象紙幣束として特定される。すなわち、収納部（１）の最下位に収納された帯封紙幣は、滞留日数が７日であり、「滞留日数：７日以上」という特定条件を満たしている。なお、上の例は、対象紙幣束を特定する条件の一例である。
【００６０】
図６は精査処理における紙幣処理機１０の動作の一例を示すフローチャートである。ここでは、精査処理は、毎週同じ曜日の早朝に実行されるものとする。なお、精査処理を実行するタイミングは、所定の権限を有する操作者が設定することができる。
【００６１】
まず、精査処理の対象とする収納部のうちの１つ（ここでは収納部（１）とする）について、最上位の帯封紙幣を収納部（１）から搬出する（Ｓ１０１）。そして帯封紙幣が帯封紙幣搬送部６０によって搬送される際に、識別部６２がその帯封紙幣の紙幣や結束帯の状態を識別する（Ｓ１０２）。その後、その帯封紙幣を帯封紙幣揚送部４６へ収納する（Ｓ１０３）。続いて、上から２番目の帯封紙幣について同様の処理を行い、以降、収納部（１）の全ての帯封紙幣について同様の処理を行う（Ｓ１０４）。このとき、収納部（１）の帯封紙幣の中で、現物確認の対象となる対象紙幣束が特定されている場合がある。
【００６２】
収納部（１）の帯封紙幣が全て帯封紙幣揚送部４６に集積されると（Ｓ１０４でＮＯ）、次に、帯封紙幣揚送部４６に集積された帯封紙幣を最上位から順に搬出する（Ｓ１０５）。このとき、搬出した帯封紙幣が対象紙幣束であるときは（Ｓ１０６でＹＥＳ）、元の収納部（１）には戻さずに、貨幣処理装置１からの払い出しが容易になる所定位置に退避させる（Ｓ１０７）。一方、搬出した帯封紙幣が対象紙幣束でないときは（Ｓ１０６でＮＯ）、元の収納部（１）に戻す（Ｓ１０８）。続いて、帯封紙幣揚送部４６の次の帯封紙幣について同様の処理を行い、以降、帯封紙幣揚送部４６に集積された全ての帯封紙幣について同様の処理を行う（Ｓ１０９）。この結果、収納部（１）には、対象紙幣束以外の帯封紙幣が収納されており、対象紙幣束は所定位置に退避されている。
【００６３】
以上のような処理を、精査処理の対象とする全ての収納部について実行する（Ｓ１１０）。
【００６４】
図７は図５に示す帯封紙幣データベース３１１の精査処理後の状態を示す。図７では、対象紙幣束として特定された、収納部（１）の最下位に収納された帯封紙幣が、収納部（４）の最上位に移動している。また、各帯封紙幣は精査処理においてそれぞれ２回ずつ移動したので、移動回数のデータが「２」ずつ増えている。
【００６５】
（精査処理の後処理）
精査処理が実行された後には、精査結果を操作表示部３０４に表示して、操作者の承認を求める後処理が行われる。本実施形態では、精査処理において現物確認の対象となる対象紙幣束が特定された場合には、この後処理において、対象紙幣束を貨幣処理装置１から払い出し、バラして確認するものとする。
【００６６】
図８は後処理における動作の一例を示すフローチャートである。ここでは、後処理は、精査処理を実行した後の、朝の業務開始前に実行されるものとする。
【００６７】
まず、後処理を開始すると、制御部３００は精査処理の結果を操作表示部３０４に表示する（Ｓ２０１）。ここで、精査処理において現物確認の対象となる対象紙幣束が特定されていないときは（Ｓ２０２でＮＯ）、操作者が精査処理の結果を承認する操作を行うと（Ｓ２１８）、制御部３００は印字部３０４から精査処理の結果を示すレシートを発行し（Ｓ２１５）、処理を終了する。一方、精査処理において対象紙幣束が特定されたときは（Ｓ２０２でＹＥＳ）、制御部３００は、対象紙幣束を払い出す操作を促すための報知と、払い出した対象紙幣束をバラしてバラ紙幣として入金するよう促すための報知を行う（Ｓ２０３）。例えば制御部３００は、操作表示部３０４に図９（ａ）のような画面を表示し、操作者に対象紙幣束の払い出しとその現物確認を促す。操作者が画面に従って操作を行うと（Ｓ２０４）、制御部３００は、所定位置例えば帯封紙幣収納部７０のいずれかの最上位に退避していた対象紙幣束を、帯封紙幣搬送部６０によって帯封紙幣投出部４８に搬送させる。そして、シャッター４８ａを開放する。操作者は、帯封紙幣投出部４８から対象紙幣束を取り出す（Ｓ２０５）。対象紙幣束が複数、特定されている場合は、これら複数の対象紙幣束が集積して払い出される。操作者は、取り出した対象紙幣束の帯封を外してバラ紙幣にし、投入部１４に投入する（Ｓ２０６）。
【００６８】
図１０は投入されたバラ紙幣の動きを示すイメージ図である。図１０（ａ）に示すように、制御部３００は、投入部１４からバラ紙幣を一枚ずつ繰り出し、識別部２０によって金種等を識別する（Ｓ２０７）。識別の結果から、問題がないバラ紙幣は入金一時保留部３０に搬送される。一方、対象外金種のバラ紙幣や識別不能のバラ紙幣は、入金リジェクト部として機能するバラ紙幣投出部２４へ搬送される（Ｓ２０８）。このような動作を、投入部１４に投入された全てのバラ紙幣について、実行する（Ｓ２０９）。
【００６９】
制御部３００は、入金されたバラ紙幣の金種および枚数を、対象紙幣束の金種および紙幣枚数のデータと比較し（Ｓ２１０）、異常がないかどうか判断する（Ｓ２１１）。入金されたバラ紙幣の金種および枚数が対象紙幣束の金種および紙幣枚数のデータと一致したときは、異常なしと判断し（Ｓ２１１でＮＯ）、図１０（ｂ）に示すように、制御部３００は、入金一時保留部３０に保留されたバラ紙幣を繰り出し、整理一時保留部４０に搬送し集積させる（Ｓ２１２）。このとき、対象紙幣束が複数ある場合や金種が複数ある場合には、バラ紙幣を対象紙幣束や金種に応じて２つの整理一時保留部４０に振り分ける。整理一時保留部４０にバラ紙幣が所定枚数集積されると、制御部３００は、帯封部４２により結束して帯封紙幣を作成し（Ｓ２１３）、対応する帯封紙幣収納部７０に収納する（Ｓ２１４）。その後、精査結果が印字されたレシートを発行し（Ｓ２１５）、処理を終了する。
【００７０】
一方、入金されたバラ紙幣の金種および枚数が対象紙幣束の金種および紙幣枚数のデータと一致しないときは、紙幣が不足していた、偽券が混じっていたなどの異常があったと判断し（Ｓ２１１でＹＥＳ）、制御部３００は対象紙幣束の現物に異常がある旨を報知する（Ｓ２１６）。例えば制御部３００は、操作表示部３０４に図９（ｂ）のような画面を表示する。図９（ｂ）の画面では、処理をスキップできるようにしている。ただし、処理をスキップする場合は、承認入力を必要とするなど、何らかの手段で承認者に知らせるようにするのが好ましい。そして、図１０（ｃ）に示すように、入金一時保留部３０に保留されたバラ紙幣を操作者に返却する等の異常対応処理を行う（Ｓ２１７）。
【００７１】
以上のように本実施形態によると、帯封紙幣収納部７０に収納された帯封紙幣は、例えば精査処理の際に行われる、特定処理によって、その中から、現物確認の対象とする帯封紙幣が対象紙幣束として特定される。そして特定された対象紙幣束は、例えば精査処理の後処理において、帯封紙幣払出部４８から払い出される。これにより、帯封紙幣収納部７０に収納された帯封紙幣について、出金の前に、損傷、汚れ等の状態不良や、紙幣抜き取り等の不正行為の有無について、確認することができる。
【００７２】
例えば、長期間にわたって紙幣処理機１０に滞留する帯封紙幣は、出金されなくても、精査処理時に紙幣処理機１０内を搬送されるため、最上位や最下位の紙幣が傷んだり、結束帯が破れたり緩んだりして、不良品になるおそれがある。また、不正行為によって、紙幣が抜き取られたりダミー紙幣と入れ替えられたりした場合には、発見が遅れて原因（犯人）の追及が困難になる。本実施形態では、例えば滞留期間が長い帯封紙幣は、現物確認の対象とする対象紙幣束として特定されて、貨幣処理装置１から払い出されるので、帯封紙幣の不良品化や不正行為の発生を早期に知ることができる。
【００７３】
（変形例）
（その１）
上の実施形態では、現物確認の対象となる対象紙幣束を帯封紙幣収納部７０のいずれかの最上位に退避させるものとしたが、対象紙幣束の退避位置はこれに限られるものではない。例えば、帯封紙幣投出部４８から取り出せる位置に対象紙幣束を退避させておき、後処理において対象紙幣束を確認する際に、シャッター４８ａを開放するようにしてもよい。また、紙幣処理機１０が、帯封紙幣収納部７０とは別に、オーバーフロー紙幣束や異常紙幣束を収納する、繰り出し機能を有する収納部を備えている場合には、この収納部に、現物確認の対象となる対象紙幣束を退避させてもよい。
【００７４】
（その２）
上の実施形態では、精査処理は毎週同じ曜日の早朝に実行されるものとしたが、精査処理の実行タイミングはこれに限られるものではない。例えば、営業時間中や営業終了後に、操作者の操作に基づいて、抜き打ちで精査処理を実行してもよい。そしてこの精査処理において、現物確認の対象となる対象紙幣束を特定する処理を実行してもよい。また、精査処理以外でも、帯封紙幣収納部７０に収納された帯封紙幣を装置内において循環移動させる循環処理を実行中に、上述したような現物確認の対象となる対象紙幣束を特定する処理を行うようにしてもよい。
【００７５】
（その３）
上の実施形態では、現物確認の対象となる対象紙幣束があったときは、操作表示部３０２の画面にポップアップを表示させて報知を行うものとしたが、報知の形態はこれに限られるものではない。例えば、操作表示部３０２の画面に警告アイコン等を表示してもよいし、あるいは、所定の通知先のパソコンや携帯端末（スマートフォン、タブレット等）に対象紙幣束の払い出しやその確認を促す旨の通知を行うようにしてもよい。通知先は、予め登録していてもよいし、精査処理開始時のＩＤ認証に基づいて決定してもよい。また、対象紙幣束があったが、操作者がその現物確認をスキップした場合は、通知内容にスキップした旨を追加してもよい。
【００７６】
（その４）
上の実施形態では、精査処理において紙幣束を装置内で循環移動させるものとしたが、紙幣束の在高を確認するためには、紙幣束を循環させる必要は必ずしもなく、紙幣束は元の収納部に戻らなくてもよい。すなわち、上述したような現物確認の対象となる対象紙幣束を特定する処理は、帯封紙幣収納部７０に収納された帯封紙幣を、在高を確認するために、装置内において移動させる確認処理を実行中に、行うようにしてもよい。
【００７７】
＜他の処理＞
（その１）
上の実施形態では、現物確認の対象となる対象紙幣束を、この対象紙幣束を払い出した紙幣処理機１０によって計数確認するものとした。この代わりに、払い出された対象紙幣束を、他の装置によって計数確認するようにしてもよい。例えば、図１１に示すように、貨幣処理装置１とは別の紙幣計数機２を用いて、貨幣処理装置１から払い出された対象紙幣束をバラしてそのバラ紙幣の計数確認を行う。バラ紙幣の金種および枚数が対象紙幣束の金種および紙幣枚数のデータと一致したときは、異常なしと判断し、そのバラ紙幣を貨幣処理装置１に投入する。
【００７８】
（その２）
上の実施形態では、現物確認の対象となる対象紙幣束を特定する条件として、装置内の滞留期間、装置内での移動回数、および、当該帯封紙幣の状態を用いるものとした。ただし、これらの条件を全て用いる必要は必ずしもなく、少なくともいずれか１つを用いればよい。また、これらの条件のいずれかを組み合わせて用いてもよい。例えば、滞留日数５日以上でかつ移動回数７回以上の帯封紙幣を、対象紙幣束として特定する、としてもよい。さらに、対象紙幣束を特定する条件は、これらに限られるものではなく、他の条件を用いてもかまわない。
【００７９】
また、所定の条件に基づいて対象紙幣束を特定する代わりに、アトランダムに対象紙幣束を特定してもよい。これにより、現物確認の対象となる対象紙幣束がランダムに選択されるので、例えば紙幣の抜き取りやダミー紙幣との入れ替え等の不正行為に対して、抑止効果が見込まれる。
【００８０】
（その３）
操作者が、特定された対象紙幣束の個別情報を確認できるようにしてもよい。例えば、対象紙幣束の滞留期間や滞留開始日等の情報を、操作表示部３０２の画面に表示するようにしてもよい。あるいは、対象紙幣束の移動履歴などをログ情報として、操作表示部３０２の画面で閲覧できるようにしてもよい。
【００８１】
（他の実施形態）
（その１）
上の実施形態では、紙幣処理機１０および硬貨処理機１１０を備えた貨幣処理装置１を例にとって説明したが、この他にも、硬貨処理機能を有しない紙幣処理装置であっても、本開示はもちろん適用可能である。また、上の実施形態では、紙幣処理機１０はバラ紙幣処理機能と束紙幣処理機能の両方を有しているものとしたが、バラ紙幣処理装置と束紙幣処理装置とが別体になったシステムであっても、本開示は適用可能である。この構成では、現物確認の対象となる対象紙幣束をバラ紙幣処理装置によって計数確認するとき、当該対象紙幣束の金種と紙幣枚数のデータを、束紙幣処理装置からバラ紙幣処理装置へ通信するようにすればよい。
【００８２】
（その２）
上の実施形態では、紙幣束を処理の対象としたが、硬貨処理装置において、包装硬貨を対象として、本開示を適用してもよい。すなわち、包装硬貨収納部に収納された包装硬貨の中から、現物確認の対象とする包装硬貨を特定する特定処理を行い、特定処理によって特定した包装硬貨を、包装硬貨払出部から払い出すようにしてもよい。
【符号の説明】
【００８３】
１  貨幣処理装置（紙幣処理装置）
４２  帯封部
４４  アーム機構
４８  帯封紙幣払出部
７０  帯封紙幣収納部
３００  制御部
３０２  操作表示部（操作手段）
３１０  記憶部
３１１  帯封紙幣データベース
Ｂ  帯封紙幣
ＢＸ  対象紙幣束
【図１】
2018060351.tif 000003
【図２】
2018060351.tif 000004
【図３】
2018060351.tif 000005
【図４】
2018060351.tif 000006
【図５】
2018060351.tif 000007
【図６】
2018060351.tif 000008
【図７】
2018060351.tif 000009
【図８】
2018060351.tif 000010
【図９】
2018060351.tif 000011
【図１０】
2018060351.tif 000012
【図１１】
2018060351.tif 000013